(57)【要約】【課題】  何らリンク機構やラッチ機構を組み込ままない単純構造で軽量且つ薄い天板を用いて、水平スタッキング時に天板を跳ね上げることができるとともに、操作性、外観性にも優れ、またコストの低減化を図ることが可能なテーブルを提供する。【解決手段】  両側前後に１対の前脚杆６と後脚杆７とを備えた前後方向に水平スタッキング可能なフレーム１を備え、フレームの後端部に天板２の後部下面を回転支持手段３（トーションバー１２）にて上下回動可能且つ所定角度に跳ね上げた状態を維持可能に連結するとともに、天板を略水平な使用状態に維持するロック手段４（ラッチ部材３２、ラッチ受部材３３）を前脚杆の上端と天板の前端部との間に設けた。【選択図】        図１
2006094996.tif 000002
【特許請求の範囲】
【請求項１】
両側前後に１対の前脚杆と後脚杆とを備えた前後方向に水平スタッキング可能なフレームを備え、該フレームの後端部に天板の後部下面を上下回動可能且つ所定角度に跳ね上げた状態を維持可能な回転支持手段にて連結するとともに、前記天板を略水平な使用状態に維持するロック手段を前記前脚杆の上端と前記天板の前端部との間に設けたことを特徴とするテーブル。
【請求項２】
前記回転支持手段がばね鋼の捩れ弾性を利用したトーションバーであり、該トーションバーの外筒を前記両後脚杆の上端に渡設して固定し、前記外筒の両端から突出した弾性駆動片を前記天板の下面に固定し、前記天板を跳ね上げて所定角度で釣り合う弾性付勢力を備えてなる請求項１記載のテーブル。
【請求項３】
前記ロック手段が、互に係脱可能な円柱状のラッチ部材と同じく円柱状のラッチ受部材とからなり、前記ラッチ部材とラッチ受部材の一方を前記天板の前端部下面に他方を前記前脚杆の上端に取付け、前記ラッチ部材がラッチ受部材に同軸状態で係合して前記天板を水平状態に維持してなる請求項１又は２記載のテーブル。
【請求項４】
前記ラッチ部材は、操作レバーの一部を除き係止爪等のラッチ機構を筒体に内蔵し、前記ラッチ受部材は、前記係止爪を係止する係止部を筒体に内蔵し、また前記操作レバーを着座側に対して内向き又は後向きに設定してなる請求項３記載のテーブル。
【請求項５】
両側前部に１対の前脚杆と両側後部に１対の後脚杆を備え、両前脚杆の間隔を両後脚杆の間隔よりも広く設定するとともに、それぞれ両側部において前脚杆と後脚杆の上端を余して側杆にて連結し、両側の側杆の後部間に横杆を渡設して一体化したフレームを用いてなる請求項１〜４何れかに記載のテーブル。
【発明の詳細な説明】
【技術分野】
【０００１】
本発明は、テーブルに係わり、更に詳しくは複数台を水平スタッキング可能なテーブルに関するものである。
【背景技術】
【０００２】
従来、複数台を水平スタッキング可能なテーブルは、各種提供されている。例えば、本出願人の先願に係る特許文献１には、両側に配した一対の接地脚に支脚杆を立設するとともに、両支脚杆の上端部に天板の前後中間部を上下回動可能に枢着してなる折畳み式テーブルであって、前記天板の後端にフロントパネルの上下中間部を枢着するとともに、該フロントパネルの枢着部より下方部位と前記支脚杆の適所とを連動杆でリンク連結し、前記天板が略水平状態のとき前記フロントパネルが該天板の後縁に立起するとともに、前記天板が立起状態のとき前記フロントパネルが該天板に沿って折畳まれるパネル付き折畳み式テーブルが開示されている。尚、天板下方に幕板を設けたタイプの折畳み式テーブルでは、通常は幕板の横幅を両支脚杆の間隔又は両後脚杆の間隔よりも狭く設定し、後方のテーブルの両支脚杆間又は両後脚杆間の間に前方のテーブルの幕板が進入できるようにして水平スタッキング可能となしている。また、後部両側に１対の支脚杆を有する折畳み式テーブルでは、両支脚杆の下端の接地部材を前広がりのハ字状にし、横幅の広い幕板を用いることもあるが、その場合にはスタッキング効率を高めるために天板の跳ね上げに伴って幕板が両支脚杆の後面に密着するようにリンク機構を設ける必要がある。
【０００３】
また、特許文献２には、左右の前部脚間の間隔を左右の後部脚間の間隔より大として前部脚と後部脚とを脚フレームによりそれぞれ結合するとともに左右の脚フレームの後部間を横フレームにより結合し、前記横フレーム上の左右部には天板の後部下面を該天板の前部が上方へ押し上げられたとき天板を前方へ移行させるリンク機構により支持したテーブルが開示されている。ここで、天板を立起姿勢に維持するために、前記横フレームと天板との間にガススプリングが連結されている。
【０００４】
しかし、特許文献１のテーブルは機構が複雑で一般的に高価になり、また特許文献２のテーブルは、天板内にリンク機構やラッチ機構を設けているので、天板が厚くなって重くなり、そのため操作性、外観性が悪くなるといった欠点を有している。
【特許文献１】特開２００１−２３８７３２号公報（図２）
【特許文献２】特開２００１−２９９４５８号公報
【発明の開示】
【発明が解決しようとする課題】
【０００５】
そこで、本発明が前述の状況に鑑み、解決しようとするところは、何らリンク機構やラッチ機構を組み込ままない単純構造で軽量且つ薄い天板を用いて、水平スタッキング時に天板を跳ね上げることができるとともに、操作性、外観性にも優れ、またコストの低減化を図ることが可能なテーブルを提供する点にある。
【課題を解決するための手段】
【０００６】
本発明は、前述の課題解決のために、両側前後に１対の前脚杆と後脚杆とを備えた前後方向に水平スタッキング可能なフレームを備え、該フレームの後端部に天板の後部下面を上下回動可能且つ所定角度に跳ね上げた状態を維持可能な回転支持手段にて連結するとともに、前記天板を略水平な使用状態に維持するロック手段を前記前脚杆の上端と前記天板の前端部との間に設けたテーブルを構成した（請求項１）。
【０００７】
ここで、前記回転支持手段がばね鋼の捩れ弾性を利用したトーションバーであり、該トーションバーの外筒を前記両後脚杆の上端に渡設して固定し、前記外筒の両端から突出した弾性駆動片を前記天板の下面に固定し、前記天板を跳ね上げて所定角度で釣り合う弾性付勢力を備えてなることが好ましい（請求項２）。
【０００８】
そして、前記ロック手段が、互に係脱可能な円柱状のラッチ部材と同じく円柱状のラッチ受部材とからなり、前記ラッチ部材とラッチ受部材の一方を前記天板の前端部下面に他方を前記前脚杆の上端に取付け、前記ラッチ部材がラッチ受部材に同軸状態で係合して前記天板を水平状態に維持してなることが好ましい（請求項３）。
【０００９】
更に、前記ラッチ部材は、操作レバーの一部を除き係止爪等のラッチ機構を筒体に内蔵し、前記ラッチ受部材は、前記係止爪を係止する係止部を筒体に内蔵し、また前記操作レバーを着座側に対して内向き又は後向きに設定してなることがより好ましい（請求項４）。
請求項３記載のテーブル。
【００１０】
また、両側前部に１対の前脚杆と両側後部に１対の後脚杆を備え、両前脚杆の間隔を両後脚杆の間隔よりも広く設定するとともに、それぞれ両側部において前脚杆と後脚杆の上端を余して側杆にて連結し、両側の側杆の後部間に横杆を渡設して一体化したフレームを用いてなることが好ましい（請求項５）。
【発明の効果】
【００１１】
以上にしてなる請求項１に係る発明のテーブルは、フレームの後端部に天板の後部下面を上下回動可能且つ所定角度に跳ね上げた状態を維持可能な回転支持手段にて連結するとともに、前記天板を略水平な使用状態に維持するロック手段を前記前脚杆の上端と前記天板の前端部との間に設けたので、天板自体は単純構造のものを用いることができるので、軽量化が図れ、また構造が簡単になってコスト低減化が図れるのである。
【００１２】
請求項２によれば、トーションバーの外筒を両後脚杆の上端に渡設して固定し、外筒の両端から突出した弾性駆動片を天板の下面に固定するだけの簡単な構造によって、天板を上下回動可能且つ跳ね上げた所定角度で維持することができ、外観的にもスッキリしたものとなる。
【００１３】
請求項３又は４によれば、ラッチ部材がラッチ受部材に係合した状態では、天板を略水平な使用状態に維持することができ、しかもロック手段が前脚杆の上端に延長された状態で存在するので、外観的には全く違和感がなく、使用状態ではロック手段の存在さえ分からないのである。
【００１４】
請求項５によれば、フレームを必要最小限の構成部材で形成したので、軽量且つコスト低減化を図ることができる。尚、前脚杆と後脚杆とを側杆で連結した両側の門型脚を、横杆とトーションバーの２本の杆体で連結したので、強度的にも高いものとなる。
【発明を実施するための最良の形態】
【００１５】
次に、添付図面に示した実施形態に基づき、本発明を更に詳細に説明する。図１〜図６は本発明に係るテーブルを示し、図７及び図８は回転支持手段としてのトーションバーを示し、図９〜図１１はロック手段を示し、図中符号１はフレーム、２は天板、３は回転支持手段、４はロック手段、５は幕板をそれぞれ示している。
【００１６】
本発明に係るテーブルは、両側前後に１対の前脚杆６，６と後脚杆７，７とを備えた前後方向に水平スタッキング可能なフレーム１を備え、該フレーム１の後端部に天板２の後部下面を上下回動可能且つ所定角度に跳ね上げた状態を維持可能な回転支持手段３にて連結するとともに、前記天板２を略水平な使用状態に維持するロック手段４を前記前脚杆６の上端と前記天板２の前端部との間に設け、更に両後脚杆７，７の後方にヒンジ８，８にて天板２の後端に吊下げ状に幕板５を設けたものである。
【００１７】
更に詳しくは、前記フレーム１は、両側前部に１対の前脚杆６，６と両側後部に１対の後脚杆７，７を備え、両前脚杆６，６の間隔を両後脚杆７，７の間隔よりも広く設定するとともに、それぞれ両側部において前脚杆６と後脚杆７の上端を余して側杆９にて連結し、両側の側杆９，９の後部間に横杆１０を渡設して一体化した構造である。各構成部材はスチールパイプを加工してもので、それぞれ溶接して剛構造となしている。また、前記両前脚杆６，６と両後脚杆７，７の下端にはキャスター１１，…を設けて移動可能としている。
【００１８】
本実施形態のテーブルは、前記ロック手段４，４を解除すれば、前記回転支持手段３によって天板２を所定角度、例えば約４５度の角度に跳ね上げた状態を維持できるようになっている。ここで、前記幕板５は、天板２を跳ね上げる前に、ヒンジ８，８によって回転させ、天板２の上面に重ね合せた状態にしておく、あるいは天板２を跳ね上げた後に天板２の上面に重ね合せた状態にする（図５参照）。そして、図５の天板２を跳ね上げた状態で、図６に示すように複数台のテーブルを前後方向に水平スタッキング可能となる。このように、水平スタッキングする際には、前記幕板５は天板２の上面に重ね合せるので、該幕板５の横幅は天板２の横幅いっぱいまで広げることが可能であり、幕板５本来の目隠し機能を最大限発揮させることが可能である。
【００１９】
次に、前記回転支持手段３の具体的構造を図７及び図８に基づいて説明する。前記回転支持手段３は、ばね鋼の捩れ弾性を利用したトーションバー１２である。このトーションバー１２は、中央に対して左右対称となっており、長尺の外筒１３と、該外筒１３の内部中央に回転不能に固定した不動体１４と、前記外筒１３の両端部内で回転可能に配置する可動体１５，１５と、前記外筒１３の内部で前記不動体１４と可動体１５とを連結するばね鋼からなる捩りばね１６，１６と、前記可動体１５の端部に固定する弾性駆動片１７，１７とから構成されている。
【００２０】
更に詳しくは、前記外筒１３の中央に設けた貫通孔１８と筒状の不動体１４の中央に設けた貫通孔１９とに外部から固定ピン２０を嵌入して回転不能に固定する。前記捩りばね１６は、所定太さの棒部材の両端をＵ字形に屈曲して連結部２１，２１を形成している。そして、前記捩りばね１６の一方の連結部２１を前記不動体１４の内部に挿入した状態で、該不動体１４に形成した貫通孔２２に連結ピン２３を嵌入して該連結部２１を回転不能に連結し、他方の連結部２１を前記可動体１５の内側端部に形成した筒部２４の内部に挿入した状態で、該筒部２４を貫通するように形成した貫通孔２５に連結ピン２６を嵌入して該連結部２１を回転不能に連結する。また、前記可動体１５の外側端部で前記外筒１３から突出した部分を断面正方形等の異形軸部２７となし、前記弾性駆動片１７の基部に形成した異形孔２８に前記異形軸部２７を嵌入して回転に対して一体化して固定する。更に、前記外筒１３の両端部には前記後脚杆７，７の上端に固定するための突起２９，２９を突設し、また前記弾性駆動片１７に前記天板２の下面にネジ止めするための固定板３０を偏心形成している。また、前記弾性駆動片１７には、前記外筒１３と摺接する部分にグリース溜３１を設けている。
【００２１】
そして、前記トーションバー１２の外筒１３に突設した突起２９，２９を、それぞれ前記両後脚杆７，７の上端に嵌合し溶接し、もって両後脚杆７，７に渡設して固定するとともに、前記外筒１３の両端から突出した弾性駆動片１７，１７の固定板３０，３０を前記天板２の下面にネジ止め固定し、前記天板２を跳ね上げて所定角度で釣り合うように弾性付勢力している。ここで、前記トーションバー１２による無負荷状態での外筒１３に対する固定板３０，３０の回転角度の初期位置は、前記不動体１４を外筒１３に固定する回転位置又は前記可動体１５の異形軸部２７に連結する弾性駆動片１７の異形孔２８の回転位置を調節することによって所定角度毎に設定できる。例えば、断面正方形の異形軸部２７と異形孔２８では、９０度の回転角度毎に設定できる。
【００２２】
本実施形態では、前記外筒１３の突起２９を基準として１８０度の向きに固定板３０を設定し、つまり無負荷状態で天板２が垂直に立起するように設定し、天板２の自重による回転モーメントと前記捩りばね１６の捩り弾性復元力が釣り合う位置を当該天板２が約４５度の角度になるようにしている。そして、前記天板２を前記トーションバー１２の弾性復元力によって跳ね上げ状態から、該トーションバー１２の弾性復元力に抗して前部を押し下げて、両前脚杆６，６の上端に天板２の前端部を前記ロック手段４，４にて該天板２が略水平な使用状態に維持するのである。従って、前記天板２が使用状態にあるとき、その前部が跳ね上がる方向に前記トーションバー１２によって弾性付勢されているので、前記ロック手段４，４を解除すれば、自動的に跳ね上げ状態になり、その状態を維持するのである。
【００２３】
次に、前記ロック手段４を図９〜図１１に基づいて説明する。前記ロック手段４は、互に係脱可能な円柱状のラッチ部材３２と同じく円柱状のラッチ受部材３３とからなり、前記ラッチ部材３２とラッチ受部材３３の一方を前記天板２の前端部下面に他方を前記前脚杆６の上端に取付け、前記ラッチ部材３２がラッチ受部材３３に同軸状態で係合して前記天板２を水平状態に維持するのである。本実施形態では、前記ラッチ部材３２を天板２の面に取付け、前記ラッチ受部材３３を前脚杆６の上端に取付けている。そして、前記ラッチ部材３２は、操作レバー３５の一部を除き係止爪３６等のラッチ機構を筒体３４に内蔵し、前記ラッチ受部材３３は、前記係止爪３６を係止する係止部３８を筒体３７に内蔵している。
【００２４】
更に詳しくは、前記ラッチ部材３２は、筒体３４の上端に天板２へ取付ける取付板３９を一体成形し、該筒体３４の下端を開放するとともに、一側面に前記操作レバー３５の一部を露出させる開口部４０を形成し、該操作レバー３５の上下中央部を筒体３４内に水平な支軸４１にて傾動可能に取付け、該操作レバー３５の下端に形成した係止爪３６を筒体３４の下端開口部内に臨ませている。更に、前記操作レバー３５の上端部は、筒体３４の内壁との間に介装した圧縮コイルばね４２にて外側は弾性付勢し、常時前記係止爪３６が筒体３４の中心方向へ弾性付勢している。一方、前記前脚杆６の上端に取付けるラッチ受部材３３は、筒体３７を前記前脚杆６の上端に内嵌するとともに、鍔部４３で当止した状態で、前脚杆６に貫通させたピン４４で抜止め連結し、該鍔部４３の上方には中空ドーム状の係合部４５を突設し、該係合部４５を前記ラッチ部材３２の筒体３４の下端に嵌入可能とするとともに、該係合部４５の一部に前記係止爪３６を受け入れる切欠部４６を形成し、その係合部４５の内面を前記係止部３８としている。
【００２５】
ここで、前記ラッチ部材３２及びラッチ受部材３３を所定位置に取付けた状態で、前記操作レバー３５が着座側に対して内向き又は後向きになるように設定し、不意に操の外径と前記ラッチ受部材３３の鍔部４３の外径を、前記前脚杆６の外径と略一致させ、該ラッチ受部材３３にラッチ部材３２が係合した場合に、ラッチ部材３２とラッチ受部材３３が前脚杆６に対して外観性において一体化し、あたかも一本の脚杆として認識されるのである。
【００２６】
前記ロック手段４は、前述のように天板２の下面に取付けたラッチ部材３２と、前脚杆６の上端に取付けたラッチ受部材３３とからなるが、前記天板２が略水平な使用状態において、前記ラッチ部材３２の筒体３４の下端にラッチ受部材３３のドーム状の係合部４５が嵌入するとともに、ラッチ部材３２の操作レバー３５の下端に形成した係止爪３６が、ラッチ受部材３３の係合部４５に形成した係止部３８に係止し、その係止状態を前記圧縮コイルばね４２の弾性不勢力で維持している。その状態から、水平スタッキング可能なように前記天板２を跳ね上げるには、ラッチ部材３２の筒体３４を握って前記操作レバー３５の上部を押し込み、前記係止爪３６をラッチ受部材３３の係止部３８から外して切欠部４６に位置させると、前記トーションバー１２による弾性付勢力によって当該天板２の前部が持ち上がるのである。両方のロック手段４，４をともに解除すれば、約４５度の跳ね上げ状態になる。
【００２７】
ここで、片方のロック手段４を解除した場合でも、前記トーションバー１２の両端にはそれぞれ独立して弾性付勢する弾性駆動片１７，１７を有していることと、該トーションバー１２による軸受構造に若干の遊びがあることと、天板２が完全剛性ではないこと等が相俟って天板２の左右一側部が若干持ち上がるのである。従って、左右両側のロック手段４，４を同時にロック、解除できるように連動させる機構は不要である。
【図面の簡単な説明】
【００２８】
【図１】本発明に係るテーブルの天板を省略した全体斜視図である。
【図２】同じくテーブルの側面図である。
【図３】同じくテーブルの背面図である。
【図４】幕板を天板に重ねた状態のテーブルの側面図である。
【図５】幕板を天板に重ねた状態で天板を跳ね上げた状態のテーブルの側面図である。
【図６】複数台のテーブルを前後方向に水平スタッキングする様子を示した側面図である。
【図７】回転支持手段の一例としてのトーションバーの部分分解斜視図である。
【図８】同じく組立てた状態のトーションバーの要部を示し、（ａ）は縦断正面図、（ｂ）は平面図である。
【図９】ロック手段の具体例を示したロック状態の拡大断面図である。
【図１０】同じくロック手段のロックを解除した状態の拡大端面図である。
【図１１】同じくロック手段のロックを解除して天板が跳ね上がる状態の拡大断面図である。
【符号の説明】
【００２９】
１  フレーム            ２  天板
３  回転支持手段        ４  ロック手段
５  幕板                ６  前脚杆
７  後脚杆              ８  ヒンジ
９  側杆                １０  横杆
１１  キャスター        １２  トーションバー
１３  外筒              １４  不動体
１５  可動体            １６  捩りばね
１７  弾性駆動片        １８  貫通孔
１９  貫通孔            ２０  固定ピン
２１  連結部            ２２  貫通孔
２３  連結ピン          ２４  筒部
２５  貫通孔            ２６  連結ピン
２７  異形軸部          ２８  異形孔
２９  突起              ３０  固定板
３１  グリース溜        ３２  ラッチ部材
３３  ラッチ受部材      ３４  筒体
３５  操作レバー        ３６  係止爪
３７  筒体              ３８  係止部
３９  取付板            ４０  開口部
４１  支軸              ４２  圧縮コイルばね
４３  鍔部              ４４  ピン
４５  係合部            ４６  切欠部
【図１】
2006094996.tif 000003
【図２】
2006094996.tif 000004
【図３】
2006094996.tif 000005
【図４】
2006094996.tif 000006
【図５】
2006094996.tif 000007
【図６】
2006094996.tif 000008
【図７】
2006094996.tif 000009
【図８】
2006094996.tif 000010
【図９】
2006094996.tif 000011
【図１０】
2006094996.tif 000012
【図１１】
2006094996.tif 000013